(57)【要約】      （修正有）【課題】複箱式水道メータの下部ケースに対するインナーケースの組付け時において、当該インナーケースの流出口の外側に取着された水密パッキンを全くずれることなく正規の位置に正確に配置し、本来の水密機能を確保する。【解決手段】下インナーケースの第１不完全円筒部１１ａの流出口１６の外側に取着した水密パッキンＰを出口管４の内側の端面に対向させた配置状態で、当該下インナーケースを、下部ケースＧのインナーケース配置空間に挿入配置した状態で、前記下インナーケースを出口管４の側に微動させることにより、当該下インナーケースの第２不完全円筒部１１ｂと、インナーケース配置空間の内周面との間に、断面中空円弧状の圧入隙間を形成し、くさび状圧入体３２を前記圧入隙間に圧入させて、前記下インナーケースを出口管４の方向に微動させることにより、前記水密パッキンＰを出口管４の内側の端面に密着させる。【選択図】図７
2014095611.tif 000002
【特許請求の範囲】
【請求項１】
下部ケースの入口管と出口管との間にインナーケース配置空間が各管よりも下方に突出して形成され、流入口及び流出口が対向して設けられて、円筒状をしたインナーケースが前記インナーケース配置空間に収容され、当該インナーケースの少なくとも流出口の部分は、当該インナーケース内の計量室を通らない水道水が前記出口管を通して外部に流出するのを防止すべく、前記出口管の内側端面との間で水密パッキンを介して水密が保持され、当該インナーケース内に羽根車が回転可能に配置された構成の複箱式水道メータにおいて、
前記インナーケースを構成する下インナーケースは、本来の外径を有する第１不完全円筒部と、本来の外径よりも僅かに小さな外径を有する第２不完全円筒部とが円筒状に合体された形状であり、
当該下インナーケースの第１不完全円筒部の流出口の外側に水密パッキンが取着されて、当該下インナーケースが前記インナーケース配置空間に、半径方向に微動可能に配置された状態において、当該下インナーケースの第２不完全円筒部の外周面と前記インナーケース配置空間の内周面との間の断面中空円弧状の圧入隙間にくさび状となって挿入されるくさび状圧入体を備え、
前記インナーケース配置空間に下インナーケースが配置された状態で、前記断面中空円弧状の圧入隙間に対するくさび状圧入体の圧入により当該下インナーケースを出口管の方向に微動させて、当該下インナーケースの流出口の外側に配置された水密パッキンを前記出口管の内側の端面に圧着させる構成であることを特徴とする複箱式水道メータ。
【請求項２】
前記下インナーケースの第１及び第２の各不完全円筒部の中心角は、いずれも１８０°であって、第１不完全円筒部の周方向に沿った両端部には、当該下インナーケースの微動時において、第１不完全円筒部の周方向の両端部には、インナーケース配置空間の内周面との干渉を回避すべく、接線方向に沿った平面状の干渉回避平面部が形成されていることを特徴とする請求項１に記載の複箱式水道メータ。
【請求項３】
前記インナーケースは、有底円筒状の下インナーケースと、当該下インナーケースの上端開口を覆う上インナーケースとから成り、
前記くさび状圧入体は、前記上インナーケースに一体に設けられていることを特徴とする請求項１又は２に記載の複箱式水道メータ。
【請求項４】
前記計量室内の水道水の圧力を受けて、前記下部ケースのケース部の上端開口を密閉する受圧板が、インナーケースの上インナーケースを兼用していて、
前記くさび状圧入体は、前記受圧板に一体に設けられていることを特徴とする請求項１又は２に記載の複箱式水道メータ。
【請求項５】
請求項１に記載の複箱式水道メータのインナーケースを構成する下インナーケースを下部ケースに対して組み付ける方法であって、
前記下インナーケースの第１不完全円筒部の流出口の外側に取着した水密パッキンを出口管の内側の端面に対向させた配置状態で、当該下インナーケースを前記インナーケース配置空間に挿入配置した状態で、前記下インナーケースを出口管の側に微動させることにより、当該下インナーケースの第２不完全円筒部と、インナーケース配置空間の内周面との間に、断面中空円弧状の圧入隙間を形成し、前記くさび状圧入体を前記圧入隙間に圧入させて、前記下インナーケースを出口管の方向に微動させることにより、前記水密パッキンを出口管の内側の端面に密着させることを特徴とする複箱式水道メータの組付け方法。
【発明の詳細な説明】
【技術分野】
【０００１】
本発明は、下部ケースに組み込まれたインナーケース内に羽根車が収容配置される構成の複箱式水道メータ、及びその組付け方法に関するものである。
【背景技術】
【０００２】
上記した複箱式水道メータは、下部ケースにインナーケースが組み込まれ、入口管から内部に流入する水道水は、一旦、インナーケース内に流入し、当該インナーケース内に流入した水道水により羽根車を回転させる構成であり、羽根車を回転させる水道水の流れが均一化されるため、入口管からの水道水が直接に羽根車に衝突して、当該羽根車を回転させる単箱式水道メータに比較して、水道水の積算流量の計量精度が高まって、検定公差内に器差が収まり易くなる利点がある。
【０００３】
一方、複箱式水道メータは、下部ケース内に配置されたインナーケース内に流入する水道水により羽根車を回転させているために、下部ケースとインナーケースとの間の水密の不完全により、インナーケース内を通過せずに、出口管に流れ出る水道水の存在は、水道メータの計量精度を低下させる。このため、下部ケースとインナーケースとの水密が完全であることが要求される。
【０００４】
この水密構造に関しては、インナーケースに対して水道水が流入する流入側の部分と、当該インナーケースから水道水が流出する流出側の部分とがあるが、流入側の水密は、不完全であっても、流出側の水密が完全であれば、水道メータとしての計量精度の低下はない。
【０００５】
従来のインナーケースＣ’の組付けは、図１４に示されるように、下インナーケースＣ1'の流入口９１及び流出口９２の外側にそれぞれ水密パッキンＰ’を取着した状態のままで、当該下インナーケースＣ1'を下部ケースＧに押し込んでいた。よって、下インナーケースＣ1'の押込み時において、当該下インナーケースＣ1'の流入口９１及び流出口９２の外側に取着した各水密パッキンＰ’が、押込み時において、入口管３又は出口管４の内側の端部３ｄ，４ｄに引っ掛かって、当該水密パッキンＰ’が下インナーケースＣ1'に対して外れたり、或いは上下方向に沿ってずれて配置されたりすることがあり、いずれの場合にも、完全な水密を図ることはできなかった（特許文献１の図１及び図４）。
【先行技術文献】
【特許文献】
【０００６】
【特許文献１】特開２０００−１７１２７２号公報の図１及び図４
【発明の概要】
【発明が解決しようとする課題】
【０００７】
本発明は、複箱式水道メータにおいて、下部ケースに対するインナーケースの組付け時において、当該インナーケースの流出口の外側に取着された水密パッキンが全くずれることなく正規の位置に正確に配置されて、本来の水密機能を果すようにすることを課題としている。
【課題を解決するための手段】
【０００８】
上記課題を解決するための請求項１の発明は、下部ケースの入口管と出口管との間にインナーケース配置空間が各管よりも下方に突出して形成され、流入口及び流出口が対向して設けられて、円筒状をしたインナーケースが前記インナーケース配置空間に収容され、当該インナーケースの少なくとも流出口の部分は、当該インナーケース内の計量室を通らない水道水が前記出口管を通して外部に流出するのを防止すべく、前記出口管の内側端面との間で水密パッキンを介して水密が保持され、当該インナーケース内に羽根車が回転可能に配置された構成の複箱式水道メータにおいて、前記インナーケースを構成する下インナーケースは、本来の外径を有する第１不完全円筒部と、本来の外径よりも僅かに小さな外径を有する第２不完全円筒部とが円筒状に合体された形状であり、当該下インナーケースの第１不完全円筒部の流出口の外側に水密パッキンが取着されて、当該下インナーケースが前記インナーケース配置空間に、半径方向に微動可能に配置された状態において、当該下インナーケースの第２不完全円筒部の外周面と前記インナーケース配置空間の内周面との間の断面中空円弧状の圧入隙間にくさび状となって挿入されるくさび状圧入体を備え、前記インナーケース配置空間に下インナーケースが配置された状態で、前記断面中空円弧状の圧入隙間に対するくさび状圧入体の圧入により当該下インナーケースを出口管の方向に微動させて、当該下インナーケースの流出口の外側に配置された水密パッキンを前記出口管の内側の端面に圧着させる構成であることを特徴としている。
【０００９】
請求項１の発明によれば、下インナーケースは、本来の外径を有する第１不完全円筒部と、本来の外径よりも僅かに小さな外径を有する第２不完全円筒部とが円筒状に合体された形状であるために、下部ケースのインナーケース配置空間に下インナーケースを挿入配置した状態では、当該下インナーケースは、第１及び第２の各不完全円筒部の周方向の中点を結ぶ線分の方向（以下、「微動方向」という）に微動可能である。従って、下インナーケースの流出口の外側に水密パッキンを取着した状態で、当該下インナーケースの微動方向を、入口及び出口の各管の管軸方向に沿わせて、そのまま当該下インナーケースを出口管の方向に微動させると、当該下インナーケースの流出口の外側に取着した水密パッキンは、インナーケース配置空間の内周面における出口管の内側の端面に相当する部分に当接する。この状態では、下インナーケースの第２不完全円筒部の外周面と、下部ケースのインナーケース配置空間の内周面との間には、断面中空円弧状の圧入隙間が、当該下インナーケースの全高に亘って形成される。そして、前記圧入隙間に、不完全円筒状のくさび状圧入体を圧入させると、下インナーケースは、更に、出口管の方向に微動されて、当該下インナーケースの流出口の外側に取着されている水密パッキンは、インナーケース配置空間の内周面における出口管の内側の端面の部分に圧着されて、下インナーケースの流出口と、出口管の内側の端面との間の高い水密構造が実現される。
【００１０】
この結果、従来の組付け構造のように、下インナーケースの挿入時において、水密パッキンが、下部ケースの入口管及び出口管の内側の各端部と接触しなくなって、水密パッキンは、常に正規の位置に配置されて、当該水密パッキンが欠落されたり、或いは位置ずれされた状態で、下インナーケースが、下部ケースのインナーケース配置空間に挿入配置される不具合がなくなる。
【００１１】
請求項２の発明は、請求項１の発明において、前記下インナーケースの第１及び第２の各不完全円筒部の中心角は、いずれも１８０°であって、第１不完全円筒部の周方向に沿った両端部には、当該下インナーケースの微動時において、第１不完全円筒部の周方向の両端部には、インナーケース配置空間の内周面との干渉を回避すべく、接線方向に沿った平面状の干渉回避平面部が形成されていることを特徴としている。
【００１２】
請求項２の発明によれば、下インナーケースの第１及び第２の各不完全円筒部の中心角は、いずれも１８０°であって、第１不完全円筒部の周方向に沿った両端部には、接線方向に沿った平面状の干渉回避平面部が形成されているため、第１不完全円筒部の周方向に沿った両端部が、インナーケース配置空間の内周面と干渉することなく、下インナーケースを前記微動方向に微動させられる。この結果、下インナーケースを構成する第１不完全円筒部の中心角を最大に確保できると共に、第２不完全円筒部の中心角を最少にできて、くさび状圧入体の中心角が最少となって、当該くさび状圧入体の挿入作業が容易となる。
【００１３】
請求項３の発明は、請求項１又は２の発明において、前記インナーケースは、有底円筒状の下インナーケースと、当該下インナーケースの上端開口を覆う上インナーケースとから成り、前記くさび状圧入体は、前記上インナーケースに一体に設けられていることを特徴としている。
【００１４】
請求項３の発明によれば、断面中空円弧状の前記圧入隙間にくさび状圧入体を挿入する際に、上インナーケースを押圧することにより、当該圧入が可能となって、くさび状圧入体の圧入作業が容易になるのに加えて、当該くさび状圧入体が前記圧入隙間に完全に圧入された状態で、下インナーケースの上端開口が上インナーケースにより覆われるという構造上の利点がある。
【００１５】
請求項４の発明は、請求項１又は２の発明において、前記計量室内の水道水の圧力を受けて、前記下部ケースのケース部の上端開口を密閉する受圧板が、インナーケースの上インナーケースを兼用していて、前記くさび状圧入体は、前記受圧板に一体に設けられていることを特徴としている。
【００１６】
請求項４の発明は、くさび状圧入体は、インナーケースの上インナーケースを兼用する受圧板に一体に設けられているため、請求項３の発明と同様に、くさび状圧入体の圧入作業が容易となる。
【００１７】
請求項５の発明は、請求項１に記載の複箱式水道メータのインナーケースを構成する下インナーケースを下部ケースに対して組み付ける方法であって、前記下インナーケースの第１不完全円筒部の流出口の外側に取着した水密パッキンを出口管の内側の端面に対向させた配置状態で、当該下インナーケースを前記インナーケース配置空間に挿入配置した状態で、前記下インナーケースを出口管の側に微動させることにより、当該下インナーケースの第２不完全円筒部と、インナーケース配置空間の内周面との間に、断面中空円弧状の圧入隙間を形成し、前記くさび状圧入体を前記圧入隙間に圧入させて、前記下インナーケースを出口管の方向に微動させることにより、前記水密パッキンを出口管の内側の端面に密着させることを特徴としている。
【００１８】
請求項５の発明は、請求項１ないし４の「複箱式水道メータ」の発明を、「複箱式水道メータの組付け方法」の観点から把握したものであって、発明の実質的な作用効果は、請求項１に記載の発明と同一である。
【発明の効果】
【００１９】
本発明は、本来の外径を有する第１不完全円筒部と、本来の外径よりも僅かに小さな外径を有する第２不完全円筒部とが円筒状に合体された形状の下インナーケースの流出口の外側に水密パッキンを取着した状態で、当該下インナーケースを下部ケースのインナーケース配置空間に予め挿入しておいて、当該下インナーケースを出口管の方向に微動させて形成される断面中空円弧状の圧入隙間にくさび状圧入体を圧入させることにより、前記水密パッキンは、インナーケース配置空間における出口管の内側の端面の部分に圧着させる構成であって、圧着前の水密パッキンは、入口及び出口の各管の軸心方向に移動するのみであって、従来のように、流出口の外側に水密パッキンが取着された下インナーケースを下部ケースのインナーケース配置空間に挿入する構成ではないので、水密パッキンが入口管及び出口管の内側の各端部に引っ掛かることがなくなって、水密パッキンは、常に下インナーケースの正規の位置に確実に配置される。
【図面の簡単な説明】
【００２０】
【図１】本発明に係る複箱式水道メータの縦断面図である。
【図２】本発明に係る複箱式水道メータの分解斜視図である。
【図３】下方から見た下インナーケースＣ1 の分解斜視図である。
【図４】下部ケースＧに下インナーケースＣ1 が収容されて形成される断面中空円弧状の圧入隙間２３にくさび状圧入体３２を圧入する前の状態の斜視図である。
【図５】くさび状圧入体３２を下方から見た斜視図である。
【図６】下部ケースＧに下インナーケースＣ1 が収容されて形成される断面中空円弧状の圧入隙間２３にくさび状圧入体３２が圧入された状態の斜視図である。
【図７】同じく平面図である。
【図８】図１のＸ−Ｘ線断面図である。
【図９】下インナーケース本体１１の横断面図である。
【図１０】（ａ），（ｂ）は、それぞれ下部ケースＧのインナーケース配置空間１に下インナーケースＣ1 を挿入配置した状態、及び挿入配置後において、下インナーケースＣ1 を管軸方向Ｑに微動させた状態の横断面図である。
【図１１】下部ケースＧのインナーケース配置空間１、下インナーケースＣ1 及び上インナーケースＣ2 に一体に設けられたくさび状圧入体３２との関係を示す縦断面図である。
【図１２】下部ケースＧのインナーケース配置空間１に下インナーケースＣ1 を挿入配置した状態の縦断面図である。
【図１３】下部ケースＧのインナーケース配置空間１に下インナーケースＣ1 を挿入配置して形成された圧入隙間２３にくさび状圧入体３２を挿入する状態の縦断面図である。
【図１４】下部ケースＧのインナーケース配置空間１に対して下インナーケースＣ1 を挿入配置する従来の組付け方法を示す縦断面図である。
【発明を実施するための形態】
【００２１】
以下、図１ないし図７を参照して、本発明の実施例の複箱式水道メータについて詳細に説明する。複箱式水道メータは、下部ケースＧにインナーケースＣが収容配置されて、当該インナーケースＣ内に羽根車Ｂが回転可能に収容され、前記インナーケースＣ内の計量室１７と、当該計量室１７の上部に配置される積算流量表示ユニットＵとが、受圧板６１によって水密を保持して分離された構成である。受圧板６１は、上記水密構造により、下部ケースＧのケース部２の上端開口を閉塞していて、計量室１７内の水道水の圧力が前記ケース部２の外部に作用しないように、当該圧力を受ける部材である。
【００２２】
下部ケースＧは、その中央部に中空円筒状のインナーケースＣが収容配置されるインナーケース配置空間１を形成するケース部２と、当該ケース部２の両側に同一軸線上に一体に設けられた入口管３及び出口管４とで構成され、前記ケース部２の上部には、前記入口管３及び出口管４よりも高い位置に環状壁部５が一体に形成されている。環状壁部５の内周面の開口端から所定長の部分までは、受圧板固定リング６２を螺合させる雌螺子６が形成され、当該環状壁部５の内周面における前記雌螺子６よりも奥側の部分には、二段の残差面が形成されている。
【００２３】
インナーケースＣは、上端が開口していて、底部を有する有底円筒状をした下インナーケースＣ1 と、当該下インナーケースＣ1 の上端開口を覆う上インナーケースＣ2 とで構成され、本発明は、上下の各インナーケースＣ1 ，Ｃ2 の形状、及び下部ケースＧに対する組付けに特徴を有している。下インナーケースＣ1 は、有底円筒状の下インナーケース本体１１の内周面における高さ方向の中央部から下端部の部分に、周方向に沿って多数の流入ノズル１２ａを形成する流入ノズル形成体１２が一体に形成されていて、当該流入ノズル形成体１２の下方には、流入ノズル形成補助体１３が配置されると共に、当該流入ノズル形成体１２の上方には、周方向に複数の流出ノズル１４ａを備えた流出ノズル形成体１４が配置され、前記流入ノズル形成補助体１３に設けられた複数の連結突起体１３ａが前記流入ノズル形成体１２を貫通して、前記流出ノズル形成体１４に達することにより、当該複数の連結突起体１３ａを介して流入ノズル形成補助体１３、流入ノズル形成体１２及び流出ノズル形成体１４が一体に連結されている。なお、流入ノズル形成補助体１３の中心部には、羽根車Ｂの回転軸２１の下端部を挿入して回転可能に支持するための支持孔１３ｃが貫通して形成されている。下インナーケース本体１１には、入口管３を通して流入した水道水を下インナーケースＣ1 内に流入させる流入口１５、及び下インナーケースＣ1 内に流入した水道水を外部に流出させる流出口１６とが対向して形成されている。下インナーケース本体１１の流出口１６の外側には、当該下インナーケース本体１１の外周面と、インナーケース配置空間１の内周面における前記出口管４の内側の端面４ａの部分との水密を図る水密パッキンＰが配置される。
【００２４】
下インナーケース本体１１の内部は、計量室１７を形成していて、当該計量室１７には、羽根車Ｂが回転可能に配置される。羽根車Ｂは、回転軸２１に複数の平板状の羽根体２２が一体に取付けられた構成であって、前記流入ノズル形成補助体１３の中心部に前記回転軸２１が回転可能に支持される。このため、下インナーケースＣ1 の内部においては、下インナーケース本体１１の流入口１５から内部に流入した水道水は、接線方向に対して傾斜した方向から、複数の流入ノズル１２ａを通って計量室１７に流入して、前記羽根車Ｂを回転させた後に、複数の流出ノズル１４ａを通って、前記下インナーケース本体１１と環状壁部５とで形成される流出空間１８（図１参照）に流出された後に、下インナーケース本体１１の流出口１６を通って出口管４の側に流出される。
【００２５】
図７ないし図９に示されるように、下インナーケースＣ1 を構成する下インナーケース本体１１は、下部ケースＧのインナーケース配置空間１の内径（ｄ）〔図９参照〕と等しい外径〔Ｄ1 （＝ｄ）〕を有していて、中心角１８０°の第１不完全円筒部１１ａと、前記内径（ｄ）よりも僅かに小さな外径〔Ｄ2 （＝Ｄ1 −２ｔ) ＜ｄ〕を有していて、中心角１８０°の第２不完全円筒部１１ｂとが円筒状に一体化された構成である。従って、第１及び第２の各不完全円筒部１１ａ，１１ｂの接続部は、段差状になっている。下部ケースＧのインナーケース配置空間１に下インナーケースＣ1 を配置した状態で、当該下インナーケースＣ1 が、第１及び第２の各不完全円筒部１１ａ，１１ｂの周方向の中点を結ぶ線分に沿った方向である「微動方向」に微動可能なように、第１不完全円筒部１１ａの周方向の両端部の外周面は、平面状に削り取られて干渉回避平面部１１ｃとなっている。下部ケースＧのインナーケース配置空間１に下インナーケースＣ1 を嵌め込んで、下インナーケース本体１１の第１不完全円筒部１１ａを、前記インナーケース配置空間１の内周面に密着された状態では、第２不完全円筒部１１ｂと、インナーケース配置空間１の内周面との間に、中空厚さ（ｔ）の断面円弧状の圧入隙間２３が全高に亘って形成される〔図１０（ｂ）参照〕。なお、下インナーケース本体１１を構成する第１及び第２の各不完全円筒部１１ａ，１１ｂの外径が異なっていて、しかも、第２不完全円筒部１１ｂの肉厚は、第１不完全円筒部１１ａの肉厚よりも僅かに厚くなっているために、下インナーケース本体１１の内周側においても、外周側の段差部と周方向に沿って同一位置に段差部が形成されるが、内周側の段差部は、特別の機能を有していない。
【００２６】
図１、図３及び図８に示されるように、下部ケースＧのインナーケース配置空間１の周方向に対する下インナーケースＣ1 の位置決めを可能にするために、流入ノズル形成補助体１３の下面には、位置決めピン１３ｂが突設され、下部ケースＧのケース部２の底壁部２ａの内面には、流入ノズル形成補助体１３の位置決めピン１３ｂが、周方向には移動不能であって、入口及び出口の各管３，４の長手方向には移動可能に嵌合される位置決め凹部７が設けられている。当該位置決め凹部７は、ケース部２の底壁部２ａの中心部の側に向けて開口されている。
【００２７】
上インナーケースＣ2 は、下インナーケースＣ1 の上端開口を覆う円板状の上インナーケース本体３１と、当該上インナーケース本体３１の下端面の外周部に一体に形成されて、前記圧入隙間２３にくさび状となって圧入される横断面円弧状のくさび状圧入体３２とで構成される。くさび状圧入体３２の板厚は、前記圧入隙間２３の中空厚さ（ｔ）に対応していて、両者は、圧入隙間２３に対してくさび状圧入体３２が圧入される「はめあい公差」を有している。上インナーケース本体３１の中央部には、羽根車Ｂの回転軸２１が挿通される軸挿通孔３３が形成されていると共に、当該上インナーケース本体３１の上端面には、前記受圧板６１の嵌合凸部６１ａを嵌合させる段差状の嵌合凹部３４が形成されている。くさび状圧入体３２の中心角は、１８０°よりも僅かに小さくなっていて、当該くさび状圧入体３２における前記下インナーケース本体１１の流入口１５の外側に配置される部分には、円形の流入口３７が形成されている。
【００２８】
リング状をした前記流入ノズル形成体１２には、器差を調整するための調整器３５を挿入するための調整器挿入孔１９が形成されている。調整器３５は、横断面視において円筒体に半径方向の貫通孔３５ａが明けられて、器差を調整可能とすべく、当該調整器３５の回動により、計量室１７と出口管４の内部との連通断面積が調整されると共に、当該連通の遮断される構成になっている。上インナーケースＣ2 の上インナーケース本体３１には、前記調整器３５を回動させるドライバー（図示せず）を挿入させるドライバー挿入孔３６が形成されている。
【００２９】
次に、図１０ないし図１３を参照して、下部ケースＧのケース部２のインナーケース配置空間１にインナーケースＣを挿入配置して組み付ける順序について説明する。下インナーケースＣ1 の流出口１６の外側に水密パッキンＰを取着した状態において、その第２不完全円筒部１１ｂがインナーケース配置空間１の内周面に近接又は密着することにより、当該インナーケース配置空間１の内周面と第１不完全円筒部１１ａの外周面との間に所定の隙間４１が形成されるようにして、当該下インナーケースＣ1 を前記ケース部２のインナーケース配置空間１に挿入する。インナーケース配置空間１に対する下インナーケースＣ1 の周方向の位置決めは、当該下インナーケースＣ1 の位置決めピン１３ｂが、ケース部２の底壁部２ａに形成された位置決め凹部７に嵌合されることにより実現される。そして、図１０（ａ）及び図１２に示されるように、前記隙間４１の存在によって、下インナーケースＣ1 の流出口１６の外側に取着された水密パッキンＰは、出口管４の内側の端部４ｄに接触することなく、当該下インナーケースＣ1 は、前記ケース部２のインナーケース配置空間１に挿入される。その結果、当該下インナーケースＣ1 の流出口１６の外側の定められた位置に配置された水密パッキンＰは、下インナーケースＣ1 に対する正規の配置位置に対してずれることなく、その配置位置を維持したままで、当該下インナーケースＣ1 は、前記インナーケース配置空間１に挿入される。
【００３０】
次に、下インナーケースＣ1 の前記「微動方向」を、下部ケースＧの入口管３及び出口管４の管軸方向Ｑに沿わせた状態で、当該下インナーケースＣ1 を管軸方向Ｑに微動させて、下インナーケース本体１１の第１不完全円筒部１１ａの外周面をインナーケース配置空間１の内周面に密着させると、図１０（ｂ）に示されるように、前記隙間４１が解消されると同時に、下インナーケース本体１１の第２不完全円筒部１１ｂの外周面とインナーケース配置空間１の内周面との間に、くさび状圧入体３２が挿入される圧入隙間２３が新規に形成される。下部ケースＧのインナーケース配置空間１の内周面における出口管４の内側の端面に対応する部分には、水密パッキンＰの環状凸部Ｐａが挿入される環状凹部８が形成されていて、下インナーケース本体１１の第１不完全円筒部１１ａの外周面をインナーケース配置空間１の内周面に密着させた状態では、水密パッキンＰの環状凸部Ｐａは前記環状凹部８に嵌合されて、当該水密パッキンＰの全面が、インナーケース配置空間１の内周面に密着される。なお、下インナーケース本体１１の第１不完全円筒部１１ａの中心角は１８０°であるが、当該第１不完全円筒部１１ａの周方向の両端部の外面には、干渉回避平面部１１ｃが全高に亘って形成されているために、当該第１不完全円筒部１１ａの周方向の両端部がインナーケース配置空間１の内周面に対して干渉することなく、前記微動が可能となる。
【００３１】
そして、下部ケースＧのインナーケース配置空間１に挿入されて組み込まれた下インナーケースＣ1 内に羽根車Ｂを収容して、その回転軸２１を当該下インナーケースＣ1 の支持孔１３ｃに挿入して支持させる。この状態で、図１３に示されるように、前記圧入隙間２３にくさび状圧入体３２を完全に圧入させると、下インナーケースＣ1 の上端開口は、くさび状圧入体３２が一体に設けられている上インナーケースＣ2 により覆われて、当該上インナーケースＣ2 の軸挿通孔３３に羽根車Ｂの回転軸２１が挿通されて、その上端部が上インナーケースＣ2 の上面から突出される。下インナーケースＣ1 は、更に、出口管４の方向に微動されて、その外周面が、インナーケース配置空間１の内周面に圧着されることにより、水密パッキンＰが更に圧縮されて、下インナーケースＣ1 を構成する下インナーケース本体１１の流出口１６の部分の水密性が高められる。本水密構造では、流入口３７（１５）の部分には、水密パッキンは配置されていないが、流出口１６の部分の水密を高めて、計量室１７を通過しない水道水、即ち、羽根車Ｂの回転に全く寄与しない水道水が流出口１６の部分から外部に流出するのを防止できれば、流入口３７（１５）の部分の水密性は、計量精度には、影響しないことは、段落「０００４」で述べた通りである。
【００３２】
次に、下部ケースＧの環状壁部５の内側の最も奥側の段差部にＯリング６３を配置させて、受圧板６１の裏面側の嵌合凸部６１ａを、上インナーケースＣ2 の嵌合凹部３４に嵌合させると共に、当該受圧板６１の全体を、前記Ｏリング６３が配置された段差部に隣接する別の段差部に嵌合させ、受圧板固定リング６２を、下部ケースＧの環状壁部５の内周の雌螺子６に回転螺合させると、下部ケースＧに対して受圧板６１の位置が確定されて固定状態となる。その後に、積算流量表示ユニットＵが組み込まれた外ケース（図示せず）を前記受圧板６１又は受圧板固定リング６２のいずれかに係合させ、当該外ケースの外側を全体カバー６４が覆うと、水道メータの組み付けが完了する。
【００３３】
羽根車Ｂの回転軸２１の上端部には、連結マグネット２４が埋設され、積算流量表示ユニットＵを構成する入力軸（図示せず）は、前記羽根車Ｂの回転軸２１の軸心上に配置されて、当該入力軸の下端部には、前記連結マグネット２４と協働してマグネット連結具を構成する別の連結マグネット（図示せず）が埋設され、羽根車Ｂの回転軸２１の回転は、そのまま前記入力軸に伝達されて、積算流量表示ユニットＵには、計量室１７を通過する水道水の積算流量が表示される。
【００３４】
図１において、入口管３内に流入された水道水は、くさび状圧入体３２に流入口３７及び下インナーケースＣ1 の流入口１５を通って、下インナーケースＣ1 の第１及び第２の各不完全円筒部１１ａ，１１ｂと、流入ノズル形成体１２及び流入ノズル形成補助体１３との間に形成された環状の流入空間２０に流入する。流入空間２０に流入した水道水は、流入ノズル形成体１２の複数の流入ノズル１２ａから計量室１７に、接線方向に対して僅かに傾斜した方向から流入することにより、羽根車Ｂの各羽根体２２を回転させ、当該回転は、そのまま積算流量表示ユニットＵを構成する入力軸に伝達される。計量室１７内には、連続して水道水が流入するために、計量室１７内の水道水は、流出ノズル形成体１４に設けられた複数の流出ノズル１４ａを通って流出空間１８に流出された後に、下インナーケース本体１１に設けられた流出口１６を通って出口管４の側に排出される。
【００３５】
そして、上記したように、インナーケースＣの流入口３７（１５）の部分には、水密パッキンは配置されていなくて、流出口１６の部分にのみ水密パッキンＰが配置されていて、当該水密パッキンＰは、下インナーケース本体１１の外側の正規の位置に、しかも圧入隙間２３に対するくさび状圧入体３２の圧入により、インナーケース配置空間１の内周面に対して高い密着力により密着しているために、流出口１６の部分の水密性は、極めて高い。よって、入口管３を通して流入した水道水のうち、計量室１７を通らないで、そのまま流出口１６から外部に排出される水道水は、皆無か、或いは極めて少ないので、計量精度が高められる。
【００３６】
また、上記実施例では、下インナーケース本体１１を構成する第１不完全円筒部１１ａの中心角は、最大の１８０°であって、前記微動方向に微動可能にさせるために、当該第１不完全円筒部１１ａの周方向の両端部の外側に干渉回避平面部１１ｃが設けられた構成であって、最大の中心角が確保されているために、組付けの安定性が高められる利点がある。しかし、本発明においては、下インナーケース本体１１を構成する第１不完全円筒部１１ａの中心角を１８０°よりも小さくして、第２不完全円筒部１１ｂの中心角を１８０°よりも大きくすることも可能である。
【００３７】
また、上記実施例では、圧入隙間２３のほぼ全部がくさび状圧入体３２により閉塞される構成であるが、本発明におけるくさび状圧入体の機能は、インナーケース配置空間１に収容された下インナーケースＣ1 を出口管４の側に微動させて、下部ケースＧのケース部２に対する下インナーケースＣ1 の配置位置を確定させることであるので、圧入隙間の一部にのみ、くさび状圧入体が圧入される構成にすることも可能である。
【００３８】
また、上記実施例では、くさび状圧入体３２は、上インナーケースＣ2 に一体に設けられているが、複箱式水道メータには、前記受圧板が、インナーケースの上インナーケースを兼用している構成のものがあり、当該構成においては、くさび状圧入体を前記受圧板に一体に設けることも可能であり、更に、くさび状圧入体は、他の部材に一体に設けることなく、単独部材で構成することも可能である。
【符号の説明】
【００３９】
Ｃ：インナーケース
Ｃ1 ：下インナーケース
Ｃ2 ：上インナーケース
Ｇ：下部ケース
Ｐ：水密パッキン
Ｑ：管軸方向
１：インナーケース配置空間
３：入口管
４：出口管
１１：下インナーケース本体
１１ａ：第１不完全円筒部
１１ｂ：第２不完全円筒部
１１ｃ：干渉回避平面部
１２：流入ノズル形成体
１２ａ：流入ノズル
１４：流出ノズル形成体
１４ａ：流出ノズル
１７：計量室
２３：圧入隙間
３２：くさび状圧入体
６１：受圧板
【図１】
2014095611.tif 000003
【図２】
2014095611.tif 000004
【図３】
2014095611.tif 000005
【図４】
2014095611.tif 000006
【図５】
2014095611.tif 000007
【図６】
2014095611.tif 000008
【図７】
2014095611.tif 000009
【図８】
2014095611.tif 000010
【図９】
2014095611.tif 000011
【図１０】
2014095611.tif 000012
【図１１】
2014095611.tif 000013
【図１２】
2014095611.tif 000014
【図１３】
2014095611.tif 000015
【図１４】
2014095611.tif 000016